(57)【要約】      （修正有）【課題】コンピュータのマザーボードに機器を簡単かつ効果的に固定可能な固定具を提供する。【解決手段】比較的長い板状の弾性プラスチックにより形成され、一端にワッシャ１１，２１及び孔１２，２２が形成される雄線止め段１０及び雌線止め段２０からなる。雄線止め段１０の表面に複数の排歯または排歯状の溝１３が形成されている。雌線止め段２０の他端に取り付け部２３が形成されている。取り付け部２３の孔２３１内には弾性を有する逆留め２３３が設けられている。ワッシャ１１，２１は、孔１２，２２をマザーボードの孔に合わせた状態で、マザーボードの固定ねじによって固定される。機器をマザーボードに固定するとき、雄線止め段１０の他端を取り付け部２３の孔２３１に挿入することで、排歯または排歯状の溝１３は、逆留め２３３によって係止される。【選択図】図２
0003161930.tif 000002
【実用新案登録請求の範囲】
【請求項１】
コンピュータの機器箱内のマザーボードに設置される機器の固定具であって、
長い板状の弾性プラスチックにより形成され、一端にワッシャ及び孔が形成され、表面に複数の排歯または排歯状の溝が形成された雄線止め段と、
長い板状の弾性プラスチックにより形成され、一端にワッシャ及び孔が形成され、他端に取り付け部が形成された雌線止め段と、を備え、
前記取り付け部に形成された孔内には、弾性を有するばね片が設けられ、
前記ばね片には、逆留めが設けられ、
前記雄線止め段のワッシャおよび前記雌線止め段のワッシャは、孔を前記マザーボードの孔に合わせた状態で、前記マザーボードを固定するねじにより固定され、
前記機器を前記マザーボードに固定するとき、前記雄線止め段の他端を前記雌線止め段の前記取り付け部の孔に挿入することで、前記排歯または前記排歯状の溝は、前記逆留めによって係止されることを特徴とする固定具。
【請求項２】
前記機器は、インターフェースカードであることを特徴とする請求項１記載の固定具。
【請求項３】
前記機器は、プロセッサーの排熱器であることを特徴とする請求項１記載の固定具。
【考案の詳細な説明】
【技術分野】
【０００１】
本考案はコンピュータの機器箱に関し、特に機器箱内のマザーボードに設置される機器の固定具に関する。
【背景技術】
【０００２】
従来、コンピュータの機器箱内のマザーボードに設置される機器の固定については、機器に固定のための孔が予め設けられ、マザーボードにも同じ仕様の孔が設けられ、機器は数本のねじを用いて機器箱の内部のマザーボードに固定される。マザーボードには、インターフェースカード及びプロセッサーとプロセッサー排熱器等の機器が固定される。近年、高い効率を追求するため、インターフェースカードはますます大きくなってきている。そのため、重さ１キロ、２キロのインターフェースカードはすでに珍しいことではない。インターフェースカードとマザーボードが挿し接ぐ範囲はすでに固定され、更にねじを用いてインターフェースカードのシールを機器箱に締め付ける。しかしながら、この方法は、片方のインターフェースカードを固定するだけで、比較的長いインターフェースカードに対して固定の効果はあまり大きくない。尚且つ運送の過程に於いてどのような状態で運搬されているかは分からず、インターフェースカードが大きいほどねじれのモーメントも大きくなる。そのため、インターフェースカードは常に震動によって、脱落または損傷するおそれがある。
【０００３】
従来の固定方法について図１に示す。コンピュータの機器箱１には、金属の長い板２が設けられる。板２は、すべてのインターフェースカード３に跨り、かつ機器箱１の開口に固定される。更に特殊な止め具を用いて各インターフェースカードの固定を行う。しかしながら、このような方法は、環境の保護、省エネに繋がらず、設置費用も割高で、使用上不便である。尚且つ別途機器箱内のインターフェースカードまたはその他部品を調整する場合、すべての止め具を取り外さなければならず、保守が困難になる。また、材料を浪費するだけでなく、昨今の環境保護の要求に符合しない。
【考案の開示】
【考案が解決しようとする課題】
【０００４】
本考案は上述の問題に鑑みてなされたものであり、その目的は、コンピュータのマザーボードに機器を簡単かつ効果的に固定可能な固定具を提供することにある。
【課題を解決するための手段】
【０００５】
上記課題を解決するため、本考案による固定具は、雄線止め段と雌線止め段を備える。雄線止め段は、比較的長い板状の弾性プラスチックにより形成されている。雄線止め段は、一端にワッシャ及び孔が形成され、表面に複数の排歯または排歯状の溝が形成されている。雌線止め段は、比較的長い板状の弾性プラスチックにより形成されている。雌線止め段は、一端にワッシャ及び孔が形成され、他端に取り付け部が形成されている。取り付け部の孔内には弾性を有する逆留めが設けられている。雄線止め段および雌線止め段の一端のワッシャは、孔がマザーボードの孔に合わせられ、マザーボードの固定ねじによって固定される。機器をマザーボードに固定するとき、雄線止め段の他端を雌線止め段の取り付け部の孔に挿入することで、排歯または排歯状の溝は、逆留めによって係止される。これにより、雄線止め段が挿入方向とは逆方向に滑り抜け出ることが防止される。本考案による固定具は、インターフェースカードの中段または末段の頂上端を束縛、または、プロセッサーの排熱器の頂上端を束縛する。二本の線止め段（雄線止め段、雌線止め段）をしっかり縛り付けてインターフェースカードまたは排熱器を引き締め、インターフェースカードまたは排熱器が運送または搬送の過程に於いて震動のためにマザーボードから脱落するのを防ぐことができる。また、本考案による固定具は、コンピュータのマザーボードに機器を簡単かつ効果的に固定可能である。よって、環境保全と省エネの要求に符合する。
【図面の簡単な説明】
【０００６】
【図１】従来のインターフェースカードの固定板による組み付けの状態を示す図。
【図２】本考案の一実施形態による固定具を示す斜視図。
【図３】本考案の一実施形態による固定具の使用状態を示す図。
【図４】本考案の一実施形態による固定具の使用状態を示す図。
【図５】本考案の一実施形態による固定具の別の使用状態を示す図。
【図６】本考案の一実施形態による固定具の別の使用状態を示す図。
【考案を実施するための形態】
【０００７】
（一実施形態）
本考案の一実施形態による固定具を図２に示す。固定具は、雄線止め段１０および雌線止め段２０を備える。
【０００８】
雄線止め段１０の一端には、ワッシャ１１及び孔１２が形成されている。雄線止め段１０は、比較的長い板状の弾性プラスチックにより形成され、表面には複数の排歯または排歯状の溝１３が設けられている。
【０００９】
雌線止め段２０の一端には、ワッシャ２１及び孔２２に形成されている。雌線止め段２０は、比較的長い板状の弾性プラスチックにより形成され、他端には取り付け部２３が形成されている。取り付け部２３の孔２３１内には、弾性のあるばね片２３２が設けられている。ばね片２３２には、逆留め２３３が設けられている。
【００１０】
これにより、孔１２、２２は、マザーボード３０の孔に合わせられ（図３参照）、マザーボード３０の固定ねじ３１によって固定される。雄線止め段１０の他端を雌線止め段２０の取り付け部２３の孔２３１に挿入すると、逆留め２３３は溝１３を係止する。これにより、雄線止め段１０が挿入方向とは逆方向に滑り抜け出るのを防止することができる。また、固定具（雄線止め段１０および雌線止め段２０）は、コンピュータのマザーボード３０に設置される機器の一つであるインターフェースカード４０の中段または末段の頂上端を束縛（図３参照）、または、前記機器の一つであるプロセッサーの排熱器５０の頂上端を束縛（図５参照）する。二本の線止め段（雄線止め段１０および雌線止め段２０）をしっかり縛り付けてインターフェースカード４０または排熱器５０を引き締め、インターフェースカード４０または排熱器５０が運送または搬送の過程に於いて震動のためにマザーボード３０から脱落するのを防ぐことができる。本実施形態による固定具は、コンピュータのマザーボード３０に機器（インターフェースカード４０および排熱器５０等）を極めて簡単かつ効果的に固定可能である。よって、環境保全と省エネの要求に符合する。
【００１１】
図３、図４に示すように、マザーボード３０は、仕様によって形成された複数の規格孔３２を有している。マザーボード３０の複数の規格孔３２は、コンピュータの機器箱６０内の孔に合わせられ、マザーボード３０は数本のねじ３１をもって機器箱６０に固定される。マザーボード３０には、複数のインターフェースカード４０が固定される。近年、効率を追求するため、インターフェースカード４０は、ますます大きく、かつ、重くなり、１キロまたは２キロを越えるものもある。インターフェースカード４０がマザーボード３０及び機器箱に固定される位置はすべて決まっているため、大きく重いインターフェースカード４０の固定を満足することは、従来困難であった。そこで、本実施形態による固定具では、雄線止め段１０及び雌線止め段２０の孔１２、２２をマザーボード３０の適当な孔３２に合わせてねじ３１で固定し、同時にマザーボード３０を機器箱６０に固定する。そして、雄線止め段１０及び雌線止め段２０は、インターフェースカード４０の頂上端を巻き付け、雄線止め段１０の他端を雌線止め段２０の孔２３１に挿入し、線止め段を引き締める。これにより、インターフェースカード４０には下向きに締め付けられる力が作用する。その結果、インターフェースカード４０の組み付けの安定性が確保される。
【００１２】
図５、図６に示すように、マザーボード３０は、仕様によって形成された複数の規格孔３２を有している。マザーボード３０の複数の規格孔３２は、コンピュータの機器箱６０内の孔に合わせられ、マザーボード３０は数本のねじ３１をもって機器箱６０に固定される。マザーボード３０には、プロセッサー及び排熱器５０が固定される。近年、効率を追求するため、プロセッサーはますます速く、かつ、熱くなり、そのため、排熱器５０はますます大きく、かつ、高さが高くなってきている。排熱器５０は、固定しないと損傷しやすく、かつ、危険が発生しやすい。そこで、本実施形態による固定具では、雄線止め段１０及び雌線止め段２０の孔１２、２２をマザーボード３０の適当な孔３２に合わせてねじ３１で固定し、同時にマザーボード３０を機器箱６０に固定する。そして、雄線止め段１０及び雌線止め段２０は、排熱器５０の頂上端を巻き付け、雄線止め段１０の他端を雌線止め段２０の孔２３１に挿入し、線止め段を引き締める。これにより、排熱器５０には下向きに締め付ける力が作用する。その結果、排熱器５０の組み付けの安定性が確保される。
【００１３】
本考案の固定具によれば、コンピュータの機器箱のマザーボードに設置される機器の固定に関し新しい形態を提供することができる。本考案の固定具は、少なくとも一つの線止め段を備え、それによって引き締めの力を発生させ、インターフェースカードまたは排熱器等の機器を堅固にマザーボードに固定することができる。本考案では、線止め段及び既成のマザーボードの規格孔と固定のねじを用いるだけで、極めて効果的な固定を達成することができる。また、本考案の固定具は、コンピュータのマザーボードに機器を簡単かつ効果的に固定可能であり、環境保全、省エネ、減炭のニーズにも符合する。
【符号の説明】
【００１４】
１０    ・・・雄線止め段
１１    ・・・ワッシャ
１２    ・・・孔
１３    ・・・溝
２０    ・・・雌線止め段
２１    ・・・ワッシャ
２２    ・・・孔
２３    ・・・取り付け部
２３１  ・・・孔
２３２  ・・・ばね片
２３３  ・・・逆留め
３０    ・・・マザーボード
３１    ・・・ねじ
３２    ・・・規格孔
４０    ・・・インターフェースカード
５０    ・・・排熱器
６０    ・・・機器箱
【図１】
0003161930.tif 000003
【図２】
0003161930.tif 000004
【図３】
0003161930.tif 000005
【図４】
0003161930.tif 000006
【図５】
0003161930.tif 000007
【図６】
0003161930.tif 000008